(57)【要約】【課題】上下の方向性を有した絵柄、文字等を描いた前板と、羽根車を備えた風車役物において、羽根車の回転停止時には前板を正規の姿勢にて停止させることができる一方で、羽根車の回転に連れて前板を揺動させることができる風車役物を提供する。【解決手段】遊技盤面４０上に立設された風車軸２、風車軸によって回転自在に軸支されると共に該盤面を流下する遊技球との衝突に伴って自在に回転する羽根車１０、及び該羽根車の前方に配置され且つ風車軸により該羽根車と相対回転可能に軸支された前板２０を備えた風車役物であって、前板は、停止時に該前板の回転方向姿勢を一義的に確定させるための変位した重心構造を備えている。【選択図】図１
2010075337.tif 000002
【特許請求の範囲】
【請求項１】
前記遊技盤の盤面上に立設された風車軸、該風車軸によって回転自在に軸支されると共に該盤面を流下する遊技球との衝突に伴って自在に回転する羽根車、及び該羽根車の前方に配置され且つ前記風車軸により該羽根車と相対回転可能に軸支された前板を備えた風車役物であって、
前記前板は、停止時に該前板の回転方向姿勢を一義的に確定させるための変位した重心構造を備えていることを特徴とする風車役物。
【請求項２】
前記重心構造は、前記前板に設けた重り部材により構成されていることを特徴とする請求項１に記載の風車役物。
【請求項３】
前記重心構造は、前記前板の形状を非対称形状とすることにより構成されていることを特徴とする請求項１に記載の風車役物。
【請求項４】
前記羽根車と前記前板の少なくとも何れか一方には、該羽根車の回転時に該前板に干渉してこれを回転方向へ付勢する付勢部材が設けられていることを特徴とする請求項１乃至３の何れか一項に記載の風車役物。
【請求項５】
前記付勢部材は、前記羽根車を構成する少なくとも一枚の羽根から前記前板の背面に向けて突出した突起、又は／及び、前記前板から前記羽根車に向けて突出した突起であることを特徴とする請求項１乃至４の何れか一項に記載の風車役物。
【発明の詳細な説明】
【技術分野】
【０００１】
本発明は、パチンコ遊技機を構成する遊技盤面上に配置されて遊技球の流下経路に変化を与える風車役物の改良に関する。
【背景技術】
【０００２】
パチンコ遊技機においては、遊技盤の盤面に入賞口、風車役物、図柄表示装置、電飾装置等の各種盤面部品を設けて遊技内容の多様性を図っている。
風車役物は、遊技盤に立設された風車軸によって羽根車を回転自在に軸支した構成を備え、遊技盤面を流下してきた遊技球が羽根車の羽根に当接することにより羽根車を回転させて演出効果を発揮させると共に、羽根による干渉によって遊技球の流下経路に変化がもたらされる（特許文献１）。
図４（ａ）及び（ｂ）は従来の風車役物の構成例を示す分解斜視図、及び完成体の縦断面図である。この風車役物１００は、遊技盤面１１０に打ち込むことにより突設した風車釘１０１によって回転自在に軸支された樹脂製の羽根車１０２と、羽根車１０２の前面に固定されて羽根車と一体回転する板金製の前板１０３と、から構成されている（例えば、特許文献１）。
前板１０３の前面には遊技内容と関わりのある図柄、文字等が表示されるが、前板前面に表示された図柄等に、上下の方向性がある場合には風車役物の停止時に図柄の方向が正しく上下を向くように構成することが好ましい。
しかし、図４に示した風車役物のように前板１０３が羽根車１０２と一体回転する場合には回転を停止した際の羽根車の停止角度によって前板前面の図柄等の方向が一定とならず、図柄等の方向性に見合った停止状態とはならないことが多くなる。
【０００３】
特許文献２には、上下の方向性を有した絵柄等を前面に装飾した羽根車に重りを取り付けることにより、風車役物の停止時に常に絵柄の上下方向が初期状態に復帰するように構成した風車が開示されている。
ところで、遊技機の演出上、風車役物の前面に上下の方向性を有した絵柄等が描かれている場合にはこれらの絵柄を回転させたくないという要求が発生することがある。しかし、特許文献２に記載の発明では絵柄は風車役物と一体回転するため、このような要求を満たすことはできない。特に、図柄の上下が逆転した状態で停止すると見栄えの悪化をもたらす。
【０００４】
また、特許文献３には風車軸により回転自在に羽根車を軸支すると共に、この風車軸の先端部に前板を固定した構成が開示されている。これによれば、羽根車が回転しても上下の方向性を有した絵柄を表示した前板の回転を完全に阻止することができる。
しかし、風車軸によって羽根車を前板と独立して回転自在に軸支したとしても、上下の方向性を有した図柄を表示した前板を風車軸に対して完全に固定したくないという要求がある場合には、特許文献３の発明ではこのような要求を満たすことはできない。
即ち、羽根車の回転に伴って前板を揺動させる程度には動作させたいという要求がある場合に、このような要請を満たすことができる風車役物はこれまで提案されていない。
【特許文献１】特開２００２−２００３１３公報
【特許文献２】特開平１０−０８５３９６号公報
【特許文献３】特開平１１−１１４１６１号公報
【発明の開示】
【発明が解決しようとする課題】
【０００５】
以上のように従来のパチンコ遊技機に使用される風車役物にあっては、風車役物の前面に表示される絵柄、文字等に上下の方向性がある場合であっても、風車役物の停止時には絵柄等の上下が逆転する等の見栄えの悪さがあった。また、絵柄を表示した前板を風車軸に固定する一方で、羽根車を回転自在に軸支した従来例も存在するが、これによれば羽根車の回転時に前板を揺動させたいという演出上の要請を満たすことができない。
本発明は上記に鑑みてなされたものであり、上下の方向性を有した絵柄、文字等を描いた前板と、羽根車を備えた風車役物において、羽根車の回転停止時には前板を正規の姿勢にて停止させることができる一方で、羽根車の回転に連れて前板を揺動させることができる風車役物を提供することを目的としている。
【課題を解決するための手段】
【０００６】
上記目的を達成するため、請求項１の発明は、前記遊技盤の盤面上に立設された風車軸、該風車軸によって回転自在に軸支されると共に該盤面を流下する遊技球との衝突に伴って自在に回転する羽根車、及び該羽根車の前方に配置され且つ前記風車軸により該羽根車と相対回転可能に軸支された前板を備えた風車役物であって、前記前板は、停止時に該前板の回転方向姿勢を一義的に確定させるための変位した重心構造を備えていることを特徴とする。
同じ風車軸によって支持された羽根車と前板を独立して回転自在に支持し、且つ前板は停止した時に常に所定の回転方向姿勢にて停止するようにしたので、前板に描いた絵柄、文字等に方向性が求められている場合に、遊技者は前板に記載された絵柄等を正規の姿勢にて目視することができ、違和感を無くすることができる。一義的に確定とは、回転、或いは回動する前板の姿勢が、前面に表示された図柄等の方向性、或いは前板の形状に由来して定められる本来の上下方向姿勢にほぼ復帰することを意味する。
請求項２の発明は、請求項１において、前記重心構造は、前記前板に設けた重り部材により構成されていることを特徴とする。
前板の偏心した位置に重りを付加するだけで前板の停止姿勢を一定に制御することができる。
【０００７】
請求項３の発明は、請求項１において、前記重心構造は、前記前板の形状を非対称形状とすることにより構成されていることを特徴とする。
前板に重りを付すことなく、前板自体の形状が有する重量バランスにより停止姿勢を一定に制御することができる。
請求項４の発明は、請求項１乃至３の何れか一項において、前記羽根車と前記前板の少なくとも何れか一方には、該羽根車の回転時に該前板に干渉してこれを回転方向へ付勢する付勢部材が設けられていることを特徴とする。
羽根板とは独立して回動する前板を常に停止させるのではなく、羽根板からの回転力によって回動させることができる。
請求項５の発明は、請求項１乃至４の何れか一項において、前記付勢部材は、前記羽根車を構成する少なくとも一枚の羽根から前記前板の背面に向けて突出した突起、又は／及び、前記前板から前記羽根車に向けて突出した突起であることを特徴とする。
【発明の効果】
【０００８】
本発明によれば、回転する羽根板とは独立して前板を回動可能に支持すると共に、前板に描かれた図柄、文字等に上下の方向性がある場合に、前板の停止時に図柄等の上下方向を正規の姿勢に維持することができる。
即ち、前板が遊戯中完全に停止しているのは、視覚的な面白味を半減させる原因となる。前板を回動（揺動）させたり、回転させることにより、絵柄等が判別できなくなる面白味を実現させる。一方、前板の停止時には絵柄等が正規の上下姿勢にて停止することにより違和感をなくすることができる。
前板の停止時に描かれた図柄等の姿勢が正規の状態となるようにするために、前板の絵柄等の下部に相当する位置に重心を位置させたので、前板の停止時に図柄等の上下方向を正規の姿勢に維持することができる。
変位した重心構造は、前板の一部を、比重の重い金属等の異材料にしたり、前板の一部の厚みを厚くする等により実現できる。
或いは、前板の形状を非対称として重心位置を下方に偏位させてもよい。
【発明を実施するための最良の形態】
【０００９】
以下、本発明を図面に示した実施の形態により詳細に説明する。
図１（ａ）は本発明の一実施形態に係る風車役物の構成を示す斜視図であり、（ｂ）はその分解斜視図、（ｃ）は遊技盤面に設置された風車役物の断面図である。
風車役物１は、パチンコ遊技機の遊技盤面に設定され、遊技球が接触することによって回転する羽根車を備えることにより、遊技球の落下速度を遅くすると共に、落下方向を変化させて遊技進行上の興趣を高めている。
風車役物１は、ベニヤ板、或いはアクリル板から成る遊技盤面４０に打ち込まれることにより立設された風車釘（風車軸）２と、風車釘２に挿通される軸穴１０ａを有した樹脂製の羽根車１０と、羽根車１０の前面側において風車釘２によって回転自在に中心穴２０ａを軸支された前板２０と、を備えている。
羽根車１０は、中心軸部１１から複数枚の羽根１２が外径方向へ突出した構成を備え、遊技盤面を流下する遊技球との衝突に伴って自在に回転することができている。
本例の前板２０は円板であり、風車釘２によって中心穴を回転自在に軸支されると共に軸方向位置がぶれないように金属、樹脂等から成るストッパリング２５により位置決めされている。前板２０は羽根車１０とは独立して（相対的に）回転することができる。また、前板２０の前面には、上下の方向性を有した文字２１が表示されている。なお、前板前面には、文字のみならず、任意の図柄であって上下の方向性（天地）を有したものであれば、どのようなものであってもよい。
【００１０】
風車釘２に前板２０を挿通し、ストッパリング２５を風車釘２に固定して前板２０を回転自在、且つ軸方向へ位置ずれしないように組み付けてから、羽根車１０の軸穴１０ａを風車釘に挿通することにより、風車役物１の組付けを完了した状態で、羽根車１０の後面から突出した風車釘２の先端部を遊技盤面４０に打ち込むことにより、風車役物の設置が完了する。
本発明の特徴的な構成は、風車釘２よって回転自在に軸支されると共に盤面４０を流下する遊技球との衝突に伴って自在に回転する羽根車１０、及び羽根車の前方に配置され且つ風車軸により羽根車と相対回転可能に軸支された前板２０を備えた風車役物において、前板２０が、停止時に前板の回転角度（回転方向姿勢）を一義的に確定させるための変位した重心構造を備えた点にある。
なお、一義的に確定とは、回転、或いは回動する前板の姿勢が、前面に表示された図柄等の方向性、或いは前板の形状に由来して定められる本来の上下方向姿勢にほぼ復帰することを意味する。
【００１１】
本実施形態では、変位した重心構造を、重り部材２２により実現している。
重り部材２２は、例えば、板厚が均一な前板２０の周縁に沿った一箇所に固定された金属等の重量物から構成し、前板２０の停止時に重り部材２２の重量によって前板表面の文字２１の上下方向が図１（ａ）（ｂ）に示した正規の状態となるように文字２１の下部に固定される。
或いは、前板２０の一部だけを金属材料により構成することによって変位した重心構造を実現してもよい。
更に本発明では、遊技球の衝突によって回転する羽根車１０の回転力を前板２０に伝達してこれを揺動させるために、羽根車１０と前板２０の少なくとも何れか一方に、羽根車１０の回転時に前板２０に干渉してこれを回転方向へ付勢する付勢部材３０が設けられている。
【００１２】
本実施形態では、この付勢部材３０は、羽根車１０を構成する少なくとも一枚の羽根１２から前板２０の背面に向けて突出した突起３１と、前板２０から羽根車の羽根１２の移動軌跡に向けて突出した突起３２である。両突起３１、３２は半球状に構成すると共に、羽根車の回転時に各突起の頂部同志が軽く接触することにより、羽根車側の突起３１によって前板２０を所定角度だけ回転方向へ押圧してからスリップして突起３１から突起３２が離脱して羽根車だけが回転し続けるように構成する。羽根車側の突起３１が前板側の突起３２を押圧している間は前板は同方向へ回動するが、突起３１が突起３２を通過した後では元の位置に復帰するための逆方向へ回動する。このため、前板は羽根板が回転するのに伴って左右へ揺動する動作を繰り返すことになる。
具体的には、例えば、ストッパリング２５によって前板２０を所定の軸方向距離だけ進退可能に構成しておくことにより、突起３１が突起３２を回転方向へ押圧した後で、突起３２から離脱し易く構成するのが好ましい。この際、例えば風車釘２の頭部と前板２０の前面に設けた凹所２３との間に配置したゴム、樹脂等の図示しない弾性材料によって前板を後方へ常時弾性付勢しておくように構成してもよい。
【００１３】
なお、上記実施形態では、羽根車と前板の双方に突起を設けたが、何れか一方のみに設けた突起の作用により前板を揺動させるように構成してもよい。
突起３１、３２としては、例えば摩擦抵抗の低いウレタン等の樹脂材料が好ましい。
また、上記実施形態では羽根車１０によって前板２０を回動（揺動）させるようにしたが、前板を回転させるようにしてもよい。この場合には、絵柄が判読できない面白みを付与することができる。
なお、上記実施形態に係る風車役物では、遊技盤面４０に打ち込んだ風車釘２によって羽根車と前板を夫々回転自在に軸支したが、図２のように遊技盤面４０にビス止め固定された台板５０から突設された風車軸５１によって羽根車１０、及び前板２０を回転自在に軸支するように構成してもよい。風車軸５１は図１の風車釘とは異なり、遊技盤面に打ち込まれる訳ではなく、台板５０と一体成形されている。
【００１４】
次に、図３は本発明の他の実施形態に係る風車役物の構成を示す正面図であり、この風車役物１は、回転停止時における前板２０の上下方向姿勢を一義的に確定させるための偏位した重心構造を、前板の形状自体を非対称形状（上下非対称構造）とすることにより実現している。
まず、図３（ａ）の風車役物１は、前板２０として円形本体の外周縁に突出部６０を設けた上下非対称の構造を採用することにより、図示しない羽根車１０の回転停止時に突出部６０が下向きとなった状態で前板２０が停止するように構成している。
図３（ｂ）の風車役物１は、前板２０として楕円形本体の外周縁に突出部６０を設けた上下非対称の構造を採用することにより、図示しない羽根車１０の回転停止時に突出部６０が下向きとなった状態で前板２０が停止するように構成している。
図３（ｃ）の風車役物１は、前板２０として四角形本体の角部に突出部６０を設けた上下非対称の構造を採用することにより、図示しない羽根車１０の回転停止時に突出部６０が下向きとなった状態で前板２０が停止するように構成している。
図３（ｄ）は突出部を設けることなく、前板自体の形状を工夫することにより、常に所定の上下方向を向いた状態で前板２０が停止するように構成している。
【００１５】
このように構成した結果、重り部材を付加することなく、前板自体の重量バランスによって停止時の上下方向姿勢を一義的に確定することができ、表示された図柄等２１の方向性と合致させることができる。
なお、必要に応じて突出部６０に重り部材を付加してもよい。
以上のように、本発明では、羽根板の回転によって前板が回転方向へ動作した場合に、前板の停止時に前板の回転方向姿勢を一義的に確定させるための変位した重心構造を備えた。即ち、同じ風車軸によって支持された羽根車と前板を独立して回転自在に支持し、且つ前板は停止した時に常に所定の回転方向姿勢にて停止するようにしたので、前板に描いた絵柄、文字等２１に上下の方向性がある場合に、遊技者は前板に記載された絵柄等を正規の姿勢にて目視することができ、違和感を無くすることができる。
【００１６】
また、偏位した重心構造は、前板に設けた重り部材２２により構成されているので、前板の偏心した位置に重りを付加するだけで前板の停止姿勢を一定に制御することができる。
また、重心構造は、前板の形状を非対称形状とすることにより構成されているので、前板に重りを付すことなく、前板自体の形状が有する重量バランスにより停止姿勢を一定に制御することができる。
また、羽根車と前板の少なくとも何れか一方に、羽根車の回転時に前板に干渉してこれを回転方向へ付勢する付勢部材が設けられているので、羽根板とは独立して回動する前板を常に停止させるのではなく、羽根板からの回転力によって回動させることができる。
【００１７】
本発明によれば、回転する羽根板とは独立して前板を回動可能に支持すると共に、前板に描かれた図柄、文字等に上下の方向性がある場合に、前板の停止時に図柄等の上下方向を正規の姿勢に維持することができる。
即ち、前板が遊戯中完全に停止しているのは、視覚的な面白味を半減させる原因となる。そこで、本発明では前板を回動（揺動）させたり、回転させることにより、絵柄等が判別できなくなる面白味を実現させる。一方、前板の停止時には絵柄等が正規の上下姿勢にて停止することにより違和感をなくすることができる。
前板の停止時に描かれた図柄等の姿勢が正規の状態となるようにするために、前板の絵柄等の下部に相当する位置に重心を位置させたので、前板の停止時に図柄等の上下方向を正規の姿勢に維持することができる。
変位した重心構造は、前板の一部を、比重の重い金属等の異材料にしたり、前板の一部の厚みを厚くする等により実現できる。
或いは、前板の形状を非対称として重心位置を下方に偏位させてもよい。
本発明の風車役物はパチンコ遊技機、その他、遊技球を使用する遊技機一般に使用することができる。
【図面の簡単な説明】
【００１８】
【図１】（ａ）は本発明の一実施形態に係る風車役物の構成を示す斜視図であり、（ｂ）はその分解斜視図、（ｃ）は遊技盤面に設置された風車役物の断面図である。
【図２】本発明の他の実施形態に係る風車役物の断面図である。
【図３】（ａ）乃至（ｄ）は夫々本発明の他の実施形態に係る風車役物の構成を示す正面図である。
【図４】（ａ）及び（ｂ）は従来例に係る風車役物の説明図である。
【符号の説明】
【００１９】
１…風車役物、２…風車釘、１０…羽根車、１０ａ…軸穴、１１…中心軸部、１２…羽根、２０…前板、２０ａ…中心穴、２１…文字、２２…重り部材、２３…凹所、２５…ストッパリング、３０…付勢部材、３１、３２…突起、４０…遊技盤面、５０…台板、５１…風車軸、６０…突出部
【図１】
2010075337.tif 000003
【図２】
2010075337.tif 000004
【図３】
2010075337.tif 000005
【図４】
2010075337.tif 000006